(57)【要約】本発明に係るステープラ用コッキングアセンブリは、アセンブリハウジングと、前記アセンブリハウジング内に配置され、流体を収容可能な圧力室と、前記アセンブリハウジングの下方に取り付けられ、パワーを提供し、前記圧力室内の流体を圧縮するように押し進めることができる押しロッドと、前記圧力室と連通するピストンボアと、前記ピストンボア内に収容されたピストンと、前記ピストンを介して駆動するコッキング部とを備えている。本発明におけるステープラ用コッキングアセンブリの感触はソフトであり、吻合針の閉合が均等になる。
2016504074.tif 000002
【特許請求の範囲】
【請求項１】
ステープラ用コッキングアセンブリであって、
アセンブリハウジングと、
前記アセンブリハウジング内に配置され、流体を収容可能な圧力室と、
前記アセンブリハウジングの下方に取り付けられ、パワーを提供し、前記圧力室内の流体を圧縮するように押し進めることができる押しロッドと、
前記圧力室と連通するピストンボアと、
前記ピストンボア内に収容されたピストンと、
前記ピストンを介して駆動するコッキング部とを備えたことを特徴とするステープラ用コッキングアセンブリ。
【請求項２】
前記圧力室と複数の前記ピストンボアとは接続され、
複数の前記ピストンは、前記複数のピストンボア内に配置され、
前記ピストンには、相互に独立した複数のコッキング部が取り付けられていることを特徴とする請求項１に記載のステープラ用コッキングアセンブリ。
【請求項３】
前記ピストンボアの後端は、前記ピストンの前記ピストンボア内における運動を抑制するための遮断部材を有することを特徴とする請求項１に記載のステープラ用コッキングアセンブリ。
【請求項４】
前記遮断部材は、前記ピストンボアの底部に配置されたガスケットであり、
前記ガスケットにおいて、前記ピストンボアに対応する部分は、貫通孔を有することを特徴とする請求項３に記載のステープラ用コッキングアセンブリ。
【請求項５】
前記圧力室における流体は液体であることを特徴とする請求項１に記載のステープラ用コッキングアセンブリ。
【請求項６】
前記圧力室における流体は気体であることを特徴とする請求項１に記載のステープラ用コッキングアセンブリ。
【請求項７】
前記アセンブリハウジングの両側壁は、ガイド溝を有し、
前記ガイド溝内に配置され、前記押しロッドの作用によって前記圧力室における流体を圧縮するブースタをさらに備えたことを特徴とする請求項１に記載のステープラ用コッキングアセンブリ。
【請求項８】
前記アセンブリハウジングの両側壁は、ガイド溝を有し、
前記押しロッドの前端には、ブースタが取り付けられ、
前記ブースタは、前記ガイド溝内に配置され、前記圧力室における流体を圧縮することを特徴とする請求項１に記載のステープラ用コッキングアセンブリ。
【請求項９】
ステープラ本体及びステープラ用コッキングアセンブリを備えるステープラであって、
前記ステープラ用コッキングアセンブリは、
アセンブリハウジングと、
前記アセンブリハウジング内に配置され、流体を収容可能な圧力室と、
前記アセンブリハウジングの下方に取り付けられ、パワーを提供し、前記圧力室内の流体を圧縮するように押し進めることができる押しロッドと、
前記圧力室と連通するピストンボアと、
前記ピストンボア内に収容されたピストンと、
前記ピストンを介して駆動するコッキング部とを備えたことを特徴とするステープラ用コッキングアセンブリ。
【請求項１０】
前記圧力室と複数の前記ピストンボアとは接続され、
複数の前記ピストンは、前記複数のピストンボア内に配置され、
前記ピストンには、相互に独立した複数のコッキング部が取り付けられていることを特徴とする請求項９に記載のステープラ。
【請求項１１】
前記ピストンボアの後端は、前記ピストンの前記ピストンボア内における運動を抑制するための遮断部材を有することを特徴とする請求項９に記載のステープラ。
【請求項１２】
前記遮断部材は、前記ピストンボアの底部に配置されたガスケットであり、
前記ガスケットにおいて、前記ピストンボアに対応する部分は、貫通孔を有することを特徴とする請求項１１に記載のステープラ。
【請求項１３】
前記圧力室における流体は液体であることを特徴とする請求項９に記載のステープラ。
【請求項１４】
前記圧力室における流体は気体であることを特徴とする請求項９に記載のステープラ。
【請求項１５】
前記アセンブリハウジングの両側壁は、ガイド溝を有し、
前記ガイド溝内に配置され、前記押しロッドの作用によって前記圧力室における流体を圧縮するブースタをさらに備えたことを特徴とする請求項９に記載のステープラ。
【請求項１６】
前記アセンブリハウジングの両側壁は、ガイド溝を有し、
前記押しロッドの前端には、ブースタが取り付けられ、
前記ブースタは、前記ガイド溝内に配置され、前記圧力室における流体を圧縮することを特徴とする請求項９に記載のステープラ。
【発明の詳細な説明】
【技術分野】
【０００１】
本願は、２０１２年１２月２８日付けの中国出願（出願番号２０１２１０５８２０７５.６、発明名称「ステープラ用コッキングアセンブリ及びステープラ」）の優先権を主張するものであり、当該中国出願の内容のすべてが引用により本願に含まれる。
【０００２】
本発明は、医療機器技術分野に関し、特にステープラ用コッキングアセンブリ及び当該コッキングアセンブリを用いたステープラに関する。
【背景技術】
【０００３】
ステープラが消化管の吻合に使用されるようになってから、既に１世紀近くなる。ステープラは、一般に、使い捨てタイプのステープラと数回使用可能なステープラとに分類され、又は、輸入ステープラと国産ステープラとに分類される。ステープラは、医学において、従来の手縫い作業の代わりに使用される器具である。先端技術の発展及び生産技術の改善が進んでいる中、現在、臨床用のステープラは、品質が高く且つ使いやすく、精密性及び締まり具合が適切である。とりわけ、ステープラの縫合スピードが速く、操作が簡単であり、また、副作用や手術による合併症などが少ないという利点がある。場合によっては、これまで切除できなかった腫瘍に対し病変箇所の切除が可能であり、国内外の臨床外科医に愛顧且つ推称されている。
【０００４】
図１に示すように、通常のステープラは、本体１０、ステープルカートリッジアセンブリ２０、ステープルアンビルアセンブリ３０、及び、コッキング手段を備えている。コッキング手段は、コッキングハンドル（押しボタン）４１、コッキングハンドル４１とステープルカートリッジアセンブリ２０との間に接続されたコッキングアセンブリ４２などを備えている。従来のコッキングアセンブリは、完全な機械的接続であるため、使用する際に、コッキング力は弾力性に欠け、コッキングは硬直という印象がある。また、設計の制約により、一回で行ったコッキング及び吻合において、吻合針の成型する高さはほぼ同じである。しかし実際は、人体の組織の厚さはそれほど均等ではなく、とりわけ吻合口が長い手術において、組織の厚さを精確に把握するのはいっそう困難である。従って、吻合針が成型する高さは、厚い組織における血液の閉塞要件を満たす場合は、薄い部分の組織における血液の閉塞効果が低減し、出血が生じる。一方、吻合針の成型する高さは、薄い組織における血液の閉塞要件を満たす場合は、厚い組織における閉合が強くなりすぎて、吻合箇所への供血及び吻合箇所の回復に影響を与えてしまう。
【発明の概要】
【発明が解決しようとする課題】
【０００５】
従って、従来のステープラの問題を回避することができる新しいコッキングアセンブリ及び新型のステープラを提供することが必要である。
【０００６】
本発明の目的は、従来技術におけるステープラのコッキングが硬直で且つ針の閉合が不均等であるという問題を解決することができる、ステープラ用コッキングアセンブリ及び当該コッキングアセンブリを有するステープラを提供することにある。
【課題を解決するための手段】
【０００７】
上記目的を実現するために、本発明に係るステープラ用コッキングアセンブリは、
アセンブリハウジングと、
前記アセンブリハウジング内に配置され、流体を収容可能な圧力室と、
前記アセンブリハウジングの下方に取り付けられ、パワーを提供し、前記圧力室内の流体を圧縮するように押し進めることができる押しロッドと、
前記圧力室と連通するピストンボアと、
前記ピストンボア内に収容されたピストンと、
前記ピストンを介して駆動するコッキング部とを備えている。
【０００８】
本発明は、ステープラ本体及びステープラ用コッキングアセンブリを備えるステープラをさらに提供し、前記ステープラ用コッキングアセンブリは、
アセンブリハウジングと、
前記アセンブリハウジング内に配置され、流体を収容可能な圧力室と、
前記アセンブリハウジングの下方に取り付けられ、パワーを提供し、前記圧力室内の流体を圧縮するように押し進めることができる押しロッドと、
前記圧力室と連通するピストンボアと、
前記ピストンボア内に収容されたピストンと、
前記ピストンを介して駆動するコッキング部とを備えている。
【発明の効果】
【０００９】
従来技術と比較すると、本発明に係るステープラ用コッキングアセンブリの感触はソフトであり、吻合針の閉合が均等になり、術後の回復が良好になる。
【図面の簡単な説明】
【００１０】
【図１】従来技術におけるステープラの部分透視図である。
【図２】本発明におけるステープラ用コッキングアセンブリの一つの実施形態に係る初期状態の構造概略図である。
【図３】本発明におけるステープラ用コッキングアセンブリの一つの実施形態に係る部分斜視図である（図１の比率と同様）。
【図４】本発明のステープラ用コッキングアセンブリがコッキングの初期状態における構造模式図である（矢印は当該箇所に作用する力を示す）。
【図５】吻合針が成型する高さの相違を示すために、図４におけるエリアAの拡大図である。
【発明を実施するための形態】
【００１１】
図面に示された各実施形態と合わせて、本発明について詳細に説明する。なお、これらの実施形態は、本発明を限定するものではない。当業者がこれらの実施形態に基づいて作り出した機能、方法、または構造上のいかなる同等置換または代替などのすべては、本発明による保護範囲内に含まれるべきである。
【００１２】
当該実施形態における具体的な説明は、背景技術における図１と合わせて説明するほうがよりわかりやすいが、本発明を限定するものではない。また、本発明において、主な改造部分はコッキングアセンブリであり、その他の部分については、詳細に説明しない。
【００１３】
図２〜図５に示すように、本発明におけるステープラ用コッキングアセンブリ１００は、両側壁１０１１にガイド溝１０１２及びガイド溝１０１４が設けられたアセンブリハウジング１０１と、アセンブリハウジング１０１内に配置され、気体又は液体である流体を有する圧力室１０２とを備えている。圧力室１０２の下部には、圧力室１０２と密封接続可能なブースタ１０３が取り付けられている。ブースタ１０３の両側は、ガイド溝１０１２及びガイド溝１０１４内に収容され、且つガイド溝１０１２及びガイド溝１０１４内において、移動することができる。ブースタ１０３の下方には、押しロッド１０４が取り付けられている。押しロッド１０４は、ブースタ１０３を上方へ移動するように推し進めることが可能であり、これにより圧力室１０２における流体を圧縮する。もちろん、ブースタ１０３及び押しロッド１０４は、一体として本発明の目的を果たすことも可能であることを理解されたい。
【００１４】
当該コッキングアセンブリは、圧力室１０２と連通する複数のピストンボア１０５と、ピストンボア１０５内に密封配置されたピストン１０６とをさらに備えている。ピストンボア１０５と圧力室１０２との間には、ガスケット１０７が挟まれている。ガスケット１０７において、ピストンボア１０５に対応する位置には、圧力室１０２とピストンボア１０５との連通を確保するための貫通孔１０７１が設けられている。もちろん、ガスケット１０７及び貫通孔１０７１の使用は、別の形態によって行ってもよい。例えば、ピストンボア１０５内に遮断部材を配置する。もちろん、理解しやすいのは、遮断部材が閉じられていない状態であり、これによって、圧力室１０２における流体圧力が、ピストン１０６の下表面まで伝達し、ピストン１０６に作用する。
【００１５】
ピストン１０６の上部には、コッキング部１０８が取り付けられている。それぞれのピストン１０６に位置するコッキング部１０８が、当該ピストン１０６の軸方向において、単独で運動することが可能である。もちろん、コッキング部１０８の部分的な独立した配置又はグループによる配置は、独立した配置と同様な効果を奏する。具体的な使用情況によって設定すればよい。
【００１６】
本発明では、初期状態において、圧力室１０２内の圧力が外部と同じであり、ピストン１０６が静止状態を保つ。コッキングを行う過程において、押しロッド１０４が押され、圧力室１０２内の流体がブースタ１０３の作用によって圧縮される。これによって、圧力室１０２内の圧力が強くなり、上向きの推力（図の矢印表示）が発生する。圧力室１０２とピストンボア１０５とは、貫通孔１０７１を介して連通している。従って、ピストンボア１０５内の圧力が大きくなると、ピストン１０６が当該圧力によって上方へ押し進められ、コッキング部１０８がこれに連動して上方へ移動する。その結果、コッキング部１０８における吻合針３が押し出され、組織２が吻合針３によって吻合、固定される。コッキング部１０８が上方へ移動する際には、吻合針３の爪がステープルアンビル４に押し付けられることによって、下方へ折れ曲がり、「B」の形に変形する。
【００１７】
コッキング部１０８が変形する初期段階において、吻合針３が成型する高さは同じである。しかしながら、吻合針３の爪がさらに折れ曲がるにつれて、吻合針３内における組織２が応力を受け、同様にコッキング部１０８に対して下向きの推力（図の矢印表示）が発生する。この場合、組織２の厚さが大きいエリアに位置するコッキング部１０８では、組織２による大きな反作用力が生じ、当該反作用力と、流体がピストン１０６・更にコッキング部１０８に付与した力とが釣り合う。従って、組織２の厚さが大きいエリアでは、吻合針３の変形が中止される。組織２の厚さが小さいエリアに位置するコッキング部１０８では、組織２による反作用力が小さいが、当該反作用力は、流体がピストン１０６・更にコッキング部１０８に付与した力よりは大きい。そのため、組織２の厚さが小さいエリアでは、吻合針３の変形が更に促進され、組織２による反作用力と流体の力とが釣り合うまで、組織２を圧迫し続ける。
【００１８】
流体が圧力を伝達することができるという基本な理由に基づき、ピストン１０６の面積が同じであれば、コッキング部１０８に対する推力も同じであり、それによって、すべての組織２の閉合効果が同じである。但し、吻合針３の成型する高さは異なる（図面表示を参照）。
【００１９】
本発明におけるコッキングアセンブリは、直線型、円形、円弧形を含む様々なタイプのステープラに用いることが可能である。本発明におけるコッキングアセンブリを使用すれば、本発明の目的のすべてが実現できる。本発明は、流体の圧力を用いて吻合針の成型する高さの相違を調節することによって、コッキングの動作がソフトになり、人間工学の原理に適合する。また、吻合針の成型する高さは、吻合される組織の厚さによって異なるが、最終的に、吻合針の閉合が均等になるという効果が得られる。
【００２０】
当業者にとって、本発明が上述の詳細に例示した実施形態に限定されるものではないことは明らかである。また、本発明は、本発明の精神又は本質的な特徴から逸脱しない限り、他の具体的な形態によって実現することができる。従って、上述した実施形態すべてが例示的であり、本発明が上述した実施形態に限定されるものではないと見なされるべきである。本発明の範囲は、上述した説明によって限定されるものではなく、添付の請求項の範囲によって限定されるものである。従って、請求項の範囲に含まれるいかなる同等置換のすべては本発明における保護範囲内に含まれるべきである。添付の図面における符号は、請求項の範囲に関する限定ではないと見なされるべきである。
【００２１】
また、本明細書では実施形態に基づいて本発明について説明したが、実施形態ごとに一つの独立した技術的手段だけを含むとは限らない。本明細書での本発明についての説明は、単なる明白のためである。当業者にとって、明細書は一つの全体であるべきであり、各実施形態における技術的解決手段は、適宜に組み合わせることによって、当業者に理解されるほかの実施形態を形成することが可能である。
【図１】
2016504074.tif 000003
【図２】
2016504074.tif 000004
【図３】
2016504074.tif 000005
【図４】
2016504074.tif 000006
【図５】
2016504074.tif 000007
【国際調査報告】
2016504074.tif 000008
2016504074.tif 000009
2016504074.tif 000010
2016504074.tif 000011
2016504074.tif 000012
2016504074.tif 000013